(57)【要約】【課題】例えば油溶性の有効成分の皮膚への浸透効果を高めることで優れた美肌効果を得ることができ、また美肌トリートメントの処理操作自体の簡略化を図る。【解決手段】美肌シートセット１は、一方の面を身体の皮膚面に接触させつつ他方の面側より特定の波長域の光を透過させるようにして用いられ、且つ、皮膚内へ導入すべき有効成分が含浸された美肌シート２と、美肌シートを封入する封入袋３とを備える。これにより、皮膚内へ導入すべき有効成分が油溶性のプロビタミンＣやプロビタミンＥ等である場合でも、皮膚面への上記光の照射作用により細胞間にクラック等を生じさせることができ、これにより皮膚内部への高い浸透効果を期待できる。また、美肌シートセット１によれば、美肌シート２を皮膚面に接触させる操作を行うだけで、有効成分を皮膚表面に塗布する工程等が不要となり、美肌処理自体の簡略化を図ることができる。【選択図】図２
2005245887.tif 000002
【特許請求の範囲】
【請求項１】
一方の面を身体の皮膚面に接触させつつ他方の面側より特定の波長域の光を透過させるようにして用いられ、前記皮膚内へ導入すべき有効成分が含浸された美肌シートと、
前記美肌シートを封入する封入体と
を具備することを特徴とする美肌シートセット。
【請求項２】
前記美肌シートの光の透過率は５０％以上であることを特徴とする請求項１記載の美肌シートセット。
【請求項３】
前記美肌シートを透過した前記光により照射される皮膚面の照度は、１２００ルクス以上であることを特徴とする請求項１又は２記載の美肌シートセット。
【請求項４】
前記有効成分が油溶性であることを特徴とする請求項１ないし３のいずれか１項に記載の美肌シートセット。
【請求項５】
前記有効成分は、プロビタミンＣ又はプロビタミンＥを含むことを特徴とする請求項１ないし４のいずれか１項に記載の美肌シートセット。
【請求項６】
前記美肌シートは、振動が付与されて用いられることを特徴とする請求項１ないし５のいずれか１項に記載の美肌シートセット。
【請求項７】
前記美肌シートの表面には、凹凸が設けられていることを特徴とする請求項６記載の美肌シートセット。
【発明の詳細な説明】
【技術分野】
【０００１】
本発明は、人の皮膚に対し美肌処理を施す場合において有用な美肌シートセットに関する。
【背景技術】
【０００２】
近年、エステティックサロン等において、女性の美顔、美肌術が隆盛している。これら美顔、美肌術の主流は、泥、草木、海藻等の天然素材又はこれらの混合若しくはこれらの主成分と薬剤等の混練物からなる化粧用パック剤を肌に塗布して、人の皮膚から排泄される老廃物を吸着させると共に、皮膚の保湿効果、美肌効果を狙った化粧用パック方法である。
【０００３】
上記化粧用パック方法に用いられるシートとして、紙又は不織布等からなる柔軟性のある基材に、泥を主成分とする化粧料を塗布又は含浸させ、この基材の片面にフィルムをラミネートした化粧用パックシートが知られている（例えば、特許文献１参照）。
【０００４】
また、美肌効果のさらなる向上を図るためのトリートメントとして、ビタミンを皮膚へ塗布し栄養を与えることも考えられている。しかしながら、皮膚にイオン性の物質が浸透しようとしても、マイナスイオンは角質で吸着され、プラスイオンも角質は透過できるもののその後にやはり吸着されてしまい、それ以上皮膚の深部へは浸透することができない。このため、化粧品を皮膚に単に塗布しただけでは、皮膚からの吸収効率が低く、さらに真皮にまで浸透させることは困難であった。
【０００５】
ここで、人間の皮膚の角質は、プロトンが多く存在するため弱酸性で保たれ、また顆粒層は、アニオン及び水酸化物イオンが多く存在するため弱アルカリ性で保たれている。すなわち、これらのイオンどうしの反発により、角質と顆粒層との間に張られた電気的な膜とも呼べるバリアゾーンができており、これが異物の侵入を抑える働きをしているからである。
【０００６】
そこで、水溶性ビタミンの経皮吸収を促進する方法として、イオン導入法（イオントフォレーシス）を用いることが有用であることがわかり、このイオン導入法を応用した様々な美顔器、美肌器が考えられている。イオン導入法は、皮膚に電極を接触させて微弱な電流を流すことによって、バリアゾーンの働きを弱め、さらに浸透させたいイオン性の物質（例えば、水溶性ビタミンＣ等）と電極との電気的な反発力によって皮膚の内部へ物質を浸透させるものである。
【特許文献１】特開平１１−２２８３４４号公報
【発明の開示】
【発明が解決しようとする課題】
【０００７】
しかしながら、イオン導入法を適用する場合、イオンとして存在し易い水溶性の物質を皮膚に浸透させることはできるものの、例えばプロビタミンＥ等の油溶性の有効成分については、その導入効果を殆ど期待することができない。そこで、例えば油溶性の物質等であっても皮膚への高い浸透効果を期待でき、また、あわせて美肌処理を行う際の処理操作自体の簡易化を図れる製品の開発が求められている。
【０００８】
本発明は、このような課題を解決するためになされたもので、例えば油溶性の有効成分の皮膚への浸透効果を高めることで優れた美肌効果を得ることができ、しかも美肌処理を行う場合の処理操作自体の簡略化を図ることができる美肌シートセットの提供を目的とする。
【課題を解決するための手段】
【０００９】
上記目的を達成するために、本発明に係る美肌シートセットは、一方の面を身体の皮膚面に接触させつつ他方の面側より特定の波長域の光を透過させるようにして用いられ、前記皮膚内へ導入すべき有効成分が含浸された美肌シートと、前記美肌シートを封入する封入袋とを具備することを特徴とする。
【００１０】
すなわち、本発明では、皮膚面に美肌シートを接触させるだけで液体の浸透作用により皮膚面にビタミン類や薬液等の有効成分を実質的に供給できるとともに、この美肌シートを透過した特定の波長域の光を、当該美肌シートを接触させた美肌対象の皮膚面に照射することが可能である。したがって、本発明によれば、皮膚内へ導入すべき有効成分がプロビタミンＣやプロビタミンＥ等の油溶性の物質であっても、上記光の照射作用により細胞間にギャップ等を生じさせることができ、これにより皮膚内部への高い浸透効果を期待できる。また、本発明によれば、美肌シートを皮膚面に接触させる操作を行うだけで、有効成分を皮膚表面に塗布する工程等が不要となり、美肌処理自体の簡略化を図ることができる。
【００１１】
ここで、本発明においては、美肌シートの光の透過率は５０％以上であることが好ましく、５５％以上であればさらに望ましい。また、美肌シートを透過した光により照射される皮膚面の照度は、１２００ルクス以上あることが好ましく、１４００ルクス以上であればさらに望ましい。さらに、本発明においては、振動を付与するようにして美肌シートをトリートメントに使用してもよい。この場合、例えば８０〜１００Ｈｚ程度の振動を付与することで、光の照射作用との相乗効果により、有効成分の皮膚内部への高い浸透効果を期待できる。また、振動を付与するようにして用いる美肌シートの表面に、例えばエンボス加工等により凹凸を設けるようにしてもよい。この場合、美肌シートを接触させた皮膚面に振動作用によるマッサージ効果が得られ、これにより皮膚の細胞組織の活性化等が図られる。
【発明の効果】
【００１２】
このように、本発明によれば、油溶性の有効成分等の皮膚への浸透効果を高めることで優れた美肌効果を得ることができ、しかも美肌処理を行う場合の処理操作自体の簡略化を図ることができる。
【発明を実施するための最良の形態】
【００１３】
以下、本発明を実施するための最良の形態を図面に基づき説明する。
図１は、本発明の実施形態に係る美肌シートセットを示す斜視図、図２は、この美肌シートセットの封入袋から美肌シートを取り出した状態を示す斜視図である。
これらの図に示すように、美肌シートセット１は、一方の面を身体の皮膚面に接触させつつ他方の面側より特定の波長域の光を透過させるようにして用いられ、皮膚内へ導入すべき有効成分が含浸された円形の美肌シート２と、美肌シート２を封入する封入体としての矩形の封入袋３とから構成される。
【００１４】
この封入袋３は、例えば無色透明のプラスチックフイルム等を材料として形成されている。この封入袋３には、美肌シート２を取り出すための開口部６と、この開口部６を閉塞して封入袋３内を気密に（密閉）する封止部５とが設けられている。封止部５は、互いに嵌合可能な凸部と凹溝とからなる。この封止部５により、封入袋３内の気密性が確保され、美肌シート２に含浸された有効成分の揮発や物性の変化等が抑制される。ここで、このような封入袋３に代えて、例えば複数枚の美肌シート２を収容できる気密性の高い缶やビン等のケース（容器）を適用してもよい。
【００１５】
美肌シート２は、例えば不織布等により形成されており、その材料としてはパルプ、綿、ポリエステル、ポリエチレン、レーヨン、ポリアミド、ウレタン等の天然繊維又は合成繊維等が例示される。ここで、このような美肌シート２には、皮膚内へ導入すべき有効成分として、例えば油溶性のプロビタミンＣやプロビタミンＥ等を含む化粧水が含浸されている。詳細には、この化粧水に含まれる成分としては、美白作用を有するテトラヘキシルデカン酸アスコルビル（油溶性ビタミンＣ誘導体）、抗酸化性を有するトコフェロール（油溶性ビタミンＥ）、保湿剤としての水溶性コラーゲン、保湿、抗炎症に有用なアロエベラエキス−１、抗炎症等を抑制するアラントイン、油性のパルミチン酸オクチル、肌荒れ防止のためのビタミンＡ油、オレンジ果汁、グレーブフルーツエキス、サンザシエキス、タイソウエキス、ライム果汁、リンゴエキス、レモン果汁等が例示される。
【００１６】
また、封入袋３内に単数枚で収容される美肌シート２は、詳細には、厚さが０．３〜０．７ｍｍ、直径が７５〜１００ｍｍ、含浸される化粧水の総量がほぼ３ｍｌ（３〜４ｇ）、自重（化粧水含浸前）が例えば０．１〜０．３ｇである。ここで、美肌シート２は、光の透過率が少なくとも５０％以上で構成され、美肌シート２を透過した光により照射される皮膚面の照度は、少なくとも１２００ルクス以上となるように構成されている。また、外部から振動を付与するようにして美肌シート２を美肌トリートメントに使用してもよい。この場合、例えば８０〜１００Ｈｚ程度の振動を付与することで、光の照射作用との相乗効果により、有効成分の皮膚内部への浸透効果を高めることができる。また、美肌シート２の表面には、例えばエンボス加工等により凹凸が設けられている。この場合、美肌シートを接触させた皮膚面に振動作用によるマッサージ効果が得られる。
【００１７】
次に、本実施形態の美肌シート２を用いて美肌処理（美肌トリートメント）を行う場合に使用する美肌装置について説明する。ここで、図３は、この美肌装置を示す正面図、図４は、この美肌装置の側面図、図５は、この美肌装置の制御系を示す機能ブロック図である。
これらの図に示すように、美肌装置１１は、ハンディタイプ（可搬型）のトリートメント装置であって、ユーザに把持される把持部１２が設けられた上側ケース１３及び下側ケース１５からなるベース筐体部１６によりその外郭が形成されている。ベース筐体部１６は、ある程度の厚みを持たせるようにして、例えば円柱をその径方向に押しつぶしたかたちで形成されている。また、上記把持部１２は、ベース筐体部１６の一端部側に形成されている。さらに、ベース筐体部１６の他端部には、ベース筐体部１６の前面（正面）の中央部分から突出するように薄型円柱形状に形成されたヘッド部７が設けられている。ここで、美肌シート２は、後述するシート保持部材８により、ヘッド部７の前面に保持される。
【００１８】
また、ヘッド部７には、特定の波長域の可視光をヘッド部先端側方向Ｘ２に向けて発光する複数の光源が設けられている。すなわち、ヘッド部７の中央部には、例えば１２個の赤色ＬＥＤ１８が設けられており、さらにこれら赤色ＬＥＤ１８を包囲するように、例えば２６個の黄色ＬＥＤ１９が設けられている。これら赤色ＬＥＤ１８、黄色ＬＥＤ１９は、透光性を有する（例えば無色透明な）カバーヘッド２５で覆われている。ヘッド部７に内蔵された基板２６上に実装される上記赤色ＬＥＤ１８、黄色ＬＥＤ１９は、カバーヘッド２５と上側ケース１３との間に形成される略密閉空間内に収容される。さらに、赤色ＬＥＤ１８、黄色ＬＥＤ１９は、駆動用のドライバであるＬＥＤ駆動回路２６によってその動作が制御される。ここで、１２個の赤色ＬＥＤ１８から発光される光は、例えば少なくとも３０００ルクス以上の照度が得られ、また美肌シート２の透過後でも少なくとも１６００ルクス以上の照度が得られる。さらに、２６個の黄色ＬＥＤ１９から発光される光は、例えば少なくとも７５００ルクス以上の照度が得られ、また美肌シート２の透過後でも少なくとも４２００ルクス以上の照度が得られる。また、赤色ＬＥＤ１８は６４１ｎｍに、黄色ＬＥＤ１９は５９２ｎｍにピーク発光波長を有する。さらに、赤色ＬＥＤ１８、黄色ＬＥＤ１９に加えて、緑色光、青色光、橙色光を発光するＬＥＤランプを追加してもよいし、また、このようなＬＥＤランプに加え、ハロゲンランプやメタルハライドランプ等の光源を設けてもよい。
【００１９】
また、ヘッド部７近傍のベース筐体部１６の前面には、電源スイッチ１０やモード切替スイッチ９が設けられている。ベース筐体部１６の把持部１２の側面には、タッチセンサの接触子として機能する一対の把持電極３０、３１が設けられている。また、ベース筐体部１６の例えば一端の縁部には、ＡＣ（交流）アダプタなどの電源出力端子を装着するための電源入力端子部（図示せず）が設けられている。なお、装置の駆動電源として、例えば乾電池や充電池を用いることができるように美肌装置１１を構成してもよい。
ここで、美肌装置１１の把持部２をユーザが把持した状態では、上記把持電極３０、３１がユーザの各指や手のひらと接触することになる。すなわち、把持電極３０、３１には、タッチセンサ回路２０が接続されている。タッチセンサ回路２０は、把持電極３０、３１にユーザの皮膚が接触しているか否かをみることができるように、把持電極３０、３１が皮膚に接触したときに生じる、例えば微弱な交流電圧の検出する回路である。なお、タッチセンサ回路２０は、接点式の他、静電容量や抵抗などのインピーダンス変化を検知するものや、圧電素子によって圧力変化を検知するものであってもよい。
【００２０】
また、図５に示すように、ヘッド部７又はベース筐体部１６には、偏心モータ２４が取り付けられており、ヘッド部７のカバーヘッド２５に振動を付与する。偏心モータ２４は、モータ駆動回路２３を通じて駆動制御され、例えば８０〜１００Ｈｚ程度の比較的低周波の帯域でカバーヘッド２５を振動させる。
【００２１】
また、ベース筐体部１６の正面には、電源スイッチ１０やモード切替スイッチ９からの入力操作に応じてその表示色や点燈状態を切替える電源・充電表示用ＬＥＤ１７、モード表示用ＬＥＤ１４が設けられている。上記電源スイッチ１０は、主電源のＯＮ／ＯＦＦ、充電／非充電を切り替えるためのスイッチである。モード切替スイッチ９は、例えば、２種類用意されたモード１、モード２を切替えるスイッチである。ここで、モード１を選択した場合、赤色ＬＥＤ１８からの１分間の光照射と黄色ＬＥＤ１９からの４分間の光照射との計５分の美肌トリートメントが行われる。一方、モード２を選択した場合、赤色ＬＥＤ１８からの１分間の光照射と黄色ＬＥＤ１９からの４分間の光照射との計５分の間に、さらに上記８０〜１００Ｈｚ程度の低周波振動でカバーヘッド２５を振動させる美肌トリートメントが行われる。
【００２２】
次に、主に図５に基づき、美肌装置１１に内蔵された制御系について説明する。この制御系に設けられたコントローラ２２は、美肌装置１の全体的な制御や各種演算を実行するプロセッサ、ＲＡＭ、ＲＯＭなどを内蔵する。ＲＯＭには実行される制御や演算のためのプログラムや各種パラメータなどのソフトウェアが格納されており、プロセッサはこのＲＯＭからソフトウェアを読み込み、命令文を解釈し、ＲＡＭのメモリ空間を用いて命令を実行する。また、コントローラ２２の前段には、操作内容入力回路２１が接続されており、この操作入力回路２１は、電源スイッチ１０やモード切替スイッチ９の操作状況を常時監視しており、その監視結果であるユーザからの入力命令をコントローラ２２に通知する。
【００２３】
また、コントローラ２２は、上述したＬＥＤ駆動回路２６、モータ駆動回路２３等の動作を統括的に制御する。ここで、コントローラ２２は、例えば省エネルギや安全性の観点から、把持電極３０、３１に皮膚が接触していない旨の信号が入力されている状態では、ＬＥＤ駆動回路２６、及びモータ駆動回路２３の動作を実行しないように制御を行う。
【００２４】
次に、本実施形態の美肌装置１に設けられたカバーヘッド２５の前面に美肌シート２を固定するための保持構造について図４及び図６〜図９に基づき説明する。ここで、図６は、図３に示す美肌装置１１が備えるシート保持部材８を底面側（美肌装置本体と対向する側）からみた図、図７は、図６に示すシート保持部材８の断面図（Ａ−Ａ断面）、図８は、図３に示す美肌装置１１にシート保持部材８が取り付けられる前の状態を示す斜視図、図９は、図３に示す美肌装置１１のヘッド部７（カバーヘッド２５）に美肌シート２を挟んでシート保持部材が取り付けられた状態を示す斜視図である。
【００２５】
図６及び図７に示すように、シート保持部材８が、いわゆる筒体をその軸方向に扁平に変形させたかたちの蓋状部材であり、透光性を有する樹脂により成形されている。シート保持部材８の軸方向の一端の開口部３５は、固定すべき美肌シート２を部分的に露出（突出）させるための穴部として機能する。開口部３５の外周縁には、美肌シート２をカバーヘッド２５と対向する側（上側）から押さえるための有形部分３６が設けられている。また、シート保持部材８には、その軸方向の他端の開口部の端縁から径方向に僅かに突出するかたちで、周方向にほぼ９０度の間隔を空けて４つの爪部３７が間欠的に形成されている。爪部３７は、シート保持部材８の径方向からみてほぼＬ字状に設けられており、先端部分が、シート保持部材８の外周部を周回する方向に向けられている。また、爪部３７には、カバーヘッド２５側と係合し易くなるように、係合の誘い用にテーパ部３８等も形成されている。さらに、シート保持部材８の上記有形部分３６には、爪部３７を金型にて加工成形するための４つの金型用成形穴３９等も形成されている。
【００２６】
さらに、カバーヘッド２５を支持するヘッド台座部４３は、図３、図８に示すように、カバーヘッド２５の周縁を包囲するように複数箇所に分散して配置された係合部である４つのリブ（周方向に間欠的に形成された鍔部）４５を備えている。リブ４５は、カバーヘッド２５を支持するヘッド台座部４３の周縁近傍から各々径方向に突出するようフランジ状に設けらており、周方向にほぼ９０度の間隔を空けて間欠的に配置されている。したがって、シート保持部材８を矢印Ｘ１方向（図４参照）に装着する場合においては、まず、カバーヘッド２５の上面（前面）を美肌シート２で覆い、４つのリブ４５の周方向に間欠的に配置される小径部分４６から、シート保持部材８の爪部３７を矢印Ｙ方向に僅かに挿入する。さらに、このように各リブ４５と各爪部３７とを近接させた状態で、ヘッド部７に対しシート保持部材８を矢印Ｓ１方向（各爪部３７の先端方向）に回転させることにより各リブ４５と各爪部３７とが各々係合する。すなわち、図９に示すように、ヘッド部７にシート保持部材８がロックされた場合、開口部３５とカバーヘッド２５とが対向し、カバーヘッド２５の前面を覆う美肌シート２が、開口部３５からシート保持部材８の外側に露出（突出）する。これにより、美肌装置１１は、シート保持部材８における開口部３５の外縁側の有形部分３６とカバーヘッド２５との間に美肌シート２を挟持するかたちでこれを保持する。また、シート保持部材８の開口部３５から外側に露出された美肌シート２の部位が美肌対象の皮膚面と接触する。
【００２７】
次に、皮膚面への光照射による機能について、図１０の光の吸収特性を示す図を参照しつつ説明を行う。
すなわち、赤色ＬＥＤ１８の発光する赤色光は、皮膚浸透度が高く、皮膚深部のメラニンに反応し、皮膚の奥深くのシミの除去に効果的である。また、赤みがかっている肌の改善に適しており、血行の促進効果などを得ることができる。また、黄色ＬＥＤ１９の発光する黄色光は、皮膚浸透度が高いため、皮膚表面のシミの除去に効果的である。ここで、図１０に示すように、黄色光、赤色光は、メラニンに吸収され、色素部位で蒸散作用により、シミの改善を促し美白効果を得ることができる。ここで、美肌シート２に含浸されるプロビタミンＥの導入は、細胞の寿命を決定するテロメアに働きかけ（テロメアが短くなる遠度を遅延させ）、皮膚の細胞組織の寿命を長く保つ効果がある。また、美肌シート２に含浸させるプロビタミンとしては、酢酸フェロールや脂溶性プロビタミンＣ等の油溶性のプロビタミンが好ましい。ここで、有効成分の浸透促進においては、美肌シート２を介しての美肌装置１１による光照射により、皮膚の細胞と細胞の間のセメント物質（コラーゲン、エラスチン、フィラグリン等）に瞬間的な通路（チャネリング）が造成され、物理的に浸透しやすくなるためであると考えられ、光の波長の違いによって皮膚への光の到達深度が異なり、波長が長いほど皮膚内部への到達度は大きくなる。
【００２８】
また、美肌シート２を介しての美肌装置１１による光照射により、油溶性プロビタミンＣ及び水溶性プロビタミンＣのいずれも皮膚への浸透を促進させることができる。プロビタミンＣの浸透促進を行うことで、表皮及び真皮にビタミンＣを供給できるため、シワ防御やシミ防御・美白作用などの効用を効果的に得ることができる。なお、プロビタミンＣがビタミンＣへと変換する機構は次のように考えられる。光の照射により表皮に存在する体内色素クロモフォアがその光を吸収し、瞬間励起状態となり、クロモフォア近傍が瞬間昇温される。このとき、表皮の細胞間質や細胞膜結合型として存在していると推定されるプロビタミンＣをビタミンＣへと変換する変換酵素が活性化し、表皮から浸透したプロビタミンＣがビタミンＣに変換される。さらにプロビタミンＣ及びビタミンＣは、光の照射により細胞間に生じたクラックにより、より皮膚の深部へ浸透することとなる。
【００２９】
既述したように、本実施形態では、皮膚面に美肌シート２を接触させるだけで液体の浸透作用により皮膚面にビタミン類や薬液等の有効成分を実質的に供給できるとともに、この美肌シート２を透過した特定の波長域の光（赤色光、黄色光）を、当該美肌シート２を接触させた美肌対象の皮膚面に照射することが可能である。したがって、本実施形態によれば、皮膚内へ導入すべき有効成分が油溶性のプロビタミンＣやプロビタミンＥ等であっても、上記光の照射作用により細胞間にクラック等を生じさせることができ、これにより皮膚内部への高い浸透効果を期待できる。また、本実施形態によれば、美肌シート２を皮膚面に接触させる操作を行うだけで、有効成分を皮膚表面に塗布する工程等が不要となり、美肌処理自体の簡略化を図ることができる。
【００３０】
以上、本発明を実施の形態により具体的に説明したが、本発明はこの実施形態にのみ限定されるものではなく、その要旨を逸脱しない範囲で種々変更可能である。例えば、上記した実施の形態の美肌装置１１に、イオン導入機構をさらに付加し、水溶性のビタミンＣ等を表皮に吸収させるようにしてもよい。このイオン導入とは、弱い直流電流（例えば、２〜４ｍＡ）を例えば３〜５分間表皮に流して、表皮の帯電バランスを崩すことによって、通常はイオン化された薬液や化粧液などが通過することができない皮下の境界面を、浸透できるようにする方法である。
【００３１】
この場合、美肌対象の表皮面に接触させるカバーヘッド２５が、イオン導入電極として利用され、この電極であるカバーヘッド２５にイオン導入のための電圧が印加される。ここで、カバーヘッド２５の少なくとも表皮面に接触させる部分は導電性を有する必要があり、カバーヘッド２５は、例えば、表皮面に接触させる部分に金属又は金属酸化物の膜を有した透明又は半透明のガラスや、透明又は半透明の導電性樹脂などで形成される。
【００３２】
上記した本発明の美肌装置１１に、このイオン導入機構をさらに設けることで、肌のトリートメントを行いながら、表皮と真皮とを貼り合わせて皮膚の細胞を作り出す基となる基底膜の再生に必要なビタミンＣ等を、その基底膜及び真皮に供給することもでき、補助的に水溶性のビタミン、プロビタミンなどを皮膚に供給することもできる。
これによって、前述した赤色ＬＥＤ１８、黄色ＬＥＤ１９によるトリートメント効果に加え、基底膜の再生に基づいて皮膚の細胞が増殖し、皮膚が再生されるため、例えば、ニキビ、火傷などによる表皮の損傷やシワなどを改善することができる。このイオン導入と前述した赤色ＬＥＤ１８、黄色ＬＥＤ１９の光によるトリートメントは、交互に行ってもよいし、同時に行ってもよいが、交互に行う方が好ましい。
また、本発明の美肌装置１１は、超音波振動を付与しつつトリートメントを行うバイブレーション機能をさらに備えてもよい。このバイブレーション機能を付加したことで、この美肌装置では、さらにバイブレーションによるマッサージ効果を得ることができる。これにより、肌の細胞の寿命を長くし、細胞の老化を抑制することができる。
【００３３】
次に、このような光の照射によるプロビタミン等の浸透促進効果の参考例を図１１〜図１３に基づき説明する。なお、この参考例では、上記発明を実施するための最良の形態で説明した美肌装置１１のモード１により測定を行った。
【００３４】
（参考例１）
ドナーからインフォームドコンセントの得られた不要となった男性の腹部の摘出皮膚片を皮膚科形成外科より入手し、この摘出皮膚片（１０×１５×５ｍｍ）を分割した小片の表皮に酢酸トコフェロール（アイ・テー・オー株式会社製）を２質量％含有した０．１％エタノール含有水溶液を塗布し、溶液を塗布した部分に美肌装置１１のモード１で光を５分間照射した。照射してから４時間後に表皮及び真皮に浸透しているα−トコフェロールを、高速液体クロマトグラフィー（日本分光株式会社製）により検出し、この結果を図１１に示した。ここで、図１１（ａ）は表皮、図１１（ｂ）は真皮のα−トコフェロールを検出したものである。あわせて、同じ皮膚に何も塗布せず、美肌装置１１からの光の照射を行わない場合の結果を図１１（ｃ）に示した。
なお、検出したα−トコフェロールは、塗布した酢酸トコフェロールの酢酸エステルがビタミンＥ変換酵素であるエステラーゼの作用により外れて変換されたものである。
【００３５】
（参考例２）
ドナーからインフォームドコンセントの得られた不要となった男性の腹部の摘出皮膚片を皮膚科形成外科より入手し、この摘出皮膚片（１０×１６×６ｍｍ）の表皮にｄ−γ−トコフェロール（アイ・テー・オー株式会社製）を２質量％含有した０．１％エタノール含有水溶液を塗布し、図１の美肌装置により溶液を塗布した部分にモード２の光を５分間照射した。照射してから４時間後に表皮に浸透しているｄ−γ−トコフェロールを、高速液体クロマトグラフィー（日本分光株式会社製）により検出し、この結果を図１２に示した。図１２（ａ）は美肌装置１１のモード１で光を照射した場合、図１２（ｂ）は光の照射を行わない場合のｄ−γ−トコフェロールを検出したものである。
【００３６】
（参考例３）
ドナーからインフォームドコンセントの得られた不要となった女性の右腋の摘出皮膚片を皮膚科形成外科より入手し、この摘出皮膚片（８×１６×３ｍｍ）の表皮を用いて参考例２と同様に美肌装置１１のモード１で浸透促進操作を行い、化合物を皮膚へ浸透させた。このときの表皮及び真皮への浸透量をクーロメトリックＥＣＤ（エイコム株式会社製、商品名：ＥＩＣＯＭ−Ｇｒａｐｈｉｔｅ  ＥＣＤ）により測定した結果を図１３に示した。この図１３は、皮膚中のｄ−γ−トコフェロール量を測定したものである。
【図面の簡単な説明】
【００３７】
【図１】本発明の実施形態に係る美肌シートセットを示す斜視図である。
【図２】図１の美肌シートセットの封入袋から美肌シートを取り出した状態を示す斜視図。
【図３】図２の美肌シートを用いて美肌処理を行う場合に使用する美肌装置の正面図。
【図４】図３に示す美肌装置の側面図。
【図５】図３に示す美肌装置の制御系を示す機能ブロック図。
【図６】図３に示す美肌装置が備えるシート保持部材を底面側からみた図。
【図７】図６に示すシート保持部材の断面図（Ａ−Ａ断面）。
【図８】図３に示す美肌装置にシート保持部材が取り付けられる前の状態を示す斜視図。
【図９】図３に示す美肌装置のヘッド部に美肌シートを挟んでシート保持部材が取り付けられた状態を示す斜視図。
【図１０】メラニン、オキシヘモグロビン及び水への光の吸収特性を示す図。
【図１１】酢酸トコフェロールを塗布した際の、表皮で検出されたα−トコフェロール量を示した図。
【図１２】腹部の皮膚におけるｄ−γ−トコフェロール量の測定結果を示した図。
【図１３】右腋の皮膚におけるｄ−γ−トコフェロール量の測定結果を示した図。
【符号の説明】
【００３８】
１…美肌シートセット、２…美肌シート、３…封入袋、７…ヘッド部、８…シート保持部材、１１…美肌装置、１８…赤色ＬＥＤ、１９…黄色ＬＥＤ、２４…偏心モータ、２５…カバーヘッド。
【図１】
2005245887.tif 000003
【図２】
2005245887.tif 000004
【図３】
2005245887.tif 000005
【図４】
2005245887.tif 000006
【図５】
2005245887.tif 000007
【図６】
2005245887.tif 000008
【図７】
2005245887.tif 000009
【図８】
2005245887.tif 000010
【図９】
2005245887.tif 000011
【図１０】
2005245887.tif 000012
【図１１】
2005245887.tif 000013
【図１２】
2005245887.tif 000014
【図１３】
2005245887.tif 000015